(57)【要約】【課題】隣り合う居住部における床下地材上に敷設されるフローリング材等の床仕上げ材による床面を、その一方に遮音マット等を介在させたとしても段差などを生じることなく同一の高さレベルに保つことができる床構造を得る。【解決手段】第１の居住部１２の床を構成する床下地材１５およびその上部に敷設される床仕上げ材１１と、これに隣り合う第２の居住部１４の床を構成する床下地材１６およびその上部に敷設される床仕上げ材１３と、この第２の居住部の床を構成する床下地材と床仕上げ材との間に介在して設けられる遮音マット２４とを備える。第１、第２の居住部における床下地材、床仕上げ材は、それぞれほぼ同一厚さをもって形成されている。これらの床下地材を、階下側の支持部材２１に支持するにあたって、遮音マットの厚さに応じて、第２の居住部側の床下地材を第１の居住部側の床下地材よりも下側に落とし込んだ状態で支持させて設ける。【選択図】        図１
2004332418.tif 000002
【特許請求の範囲】
【請求項１】
隣り合って構築される第１、第２の居住部における床の取り合い構造であって、
第１の居住部の床を構成する床下地材およびその上部に敷設される床仕上げ材と、第２の居住部の床を構成する床下地材およびその上部に敷設される床仕上げ材と、この第２の居住部の床を構成する床下地材と床仕上げ材との間に介在して設けられる遮音マットとを備え、
前記第１、第２の居住部における床下地材、床仕上げ材は、それぞれほぼ同一厚さをもって形成されており、
これらの床下地材を、階下側の支持部材に支持するにあたって、前記遮音マットの厚さに応じて、第２の居住部側の床下地材を第１の居住部側の床下地材よりも下側に落とし込んだ状態で支持させて設けたことを特徴とする床構造。
【請求項２】
隣り合って構築される第１、第２の居住部の床の取り合い構造であって、
第１の居住部の床を構成する床下地材およびその上部に敷設される床仕上げ材と、第２の居住部の床を構成する床下地材およびその上部に敷設される床仕上げ材と、この第２の居住部の床を構成する床下地材と床仕上げ材との間に介在して設けられる遮音マットおよび合板とを備え、
前記第１、第２の居住部における床下地材、床仕上げ材は、それぞれほぼ同一厚さをもって形成されており、
これらの床下地材を、階下側の支持部材に支持するにあたって、前記遮音マットおよび合板の厚さに応じて、第２の居住部側の床下地材を第１の居住部側の床下地材よりも下側に落とし込んだ状態で支持させて設けたことを特徴とする床構造。
【請求項３】
隣り合って構築される第１、第２の居住部の床の取り合い構造であって、
第１の居住部の床を構成する床下地材およびその上部に敷設される床仕上げ材と、第２の居住部の床を構成する床下地材およびその上部に敷設される床暖フローリングと、この第２の居住部の床を構成する床下地材と床暖フローリングとの間に介在して設けられる遮音マットおよび合板とを備え、
前記第１、第２の居住部における床下地材、床仕上げ材または床暖フローリングは、それぞれほぼ同一厚さをもって形成されており、
これらの床下地材を、階下側の支持部材に支持するにあたって、前記遮音マットおよび合板の厚さに応じて、第２の居住部側の床下地材を第１の居住部側の床下地材よりも下側に落とし込んだ状態で支持させて設けたことを特徴とする床構造。
【請求項４】
請求項１、請求項２または請求項３記載の床構造において、前記第１、第２の居住部における床下地材は、方形状に枠組みされた芯材とその上面に張られた面材とからなる床パネルによって構成されており、
第２の居住部における床パネルは、芯材の一部が切り欠き部によって厚さを薄く形成され、この部分が階下側の支持部材に支持されることにより、第１の居住部側の床パネルに対して落とし込んで配設されていることを特徴とする床構造。
【発明の詳細な説明】
【０００１】
【発明の属する技術分野】
本発明は、建物内の空間、たとえば居間、寝室などの居室や廊下、玄関ホール等を含む居住部の床構造に関し、特に隣り合う２つの居住部の床において一方に遮音マットを敷設する際に他方との床面との間に段差が生じないように構成した床構造に関する。
【０００２】
【従来の技術】
建物において、敷居材等の上面材を介して隣り合う居住部の床面は、段差などがない同一の高さレベルに形成することが、いわゆるバリアフリーを実現するうえで望まれている。たとえば、隣り合う居住部である２つの居室が、フローリング材やカーペット材を敷設した洋室と畳などを床仕上げ材とする和室である場合には、床下地材の厚さを変えることで対処することが一般に採られている（例えば、特許文献１、特許文献２参照）。
【０００３】
【特許文献１】
実用新案登録第２４９７１３８号公報
【特許文献２】
特許第３０６２７１６号公報
【０００４】
【発明が解決しようとする課題】
ところで、上述した建物において、隣り合う居室が共に、フローリング材等を敷設した洋室である場合においても、たとえばその一方の居室に遮音性能が求められて、遮音マットを敷設する必要があるときには、その遮音マットの厚さ分を何らかの対策を講じることで吸収することが必要となる。
【０００５】
このような場合に、最も単純には遮音マットの厚さを考慮してそれぞれの居室の床下地材の厚さを変えて構成すればよいが、畳などと違って厚さの相違は僅かであり、これを解消するために僅かに寸法の異なる床下地材を準備することは、施工時において面倒かつ煩雑であって、コスト高を生じる。
特に、このような問題は、床下地材が床パネルとして構成されるユニット式の住宅である場合において著しい。すなわち、僅かに寸法の異なる床パネルを準備し、これらを搬送して順次適切な位置に組み込む必要があるから、生産効率の面でも、作業効率の面でも問題である。
【０００６】
本発明はこのような事情に鑑みてなされたものであり、隣り合う居室等の居住部における床下地材に簡単な工夫を講じることにより、該床下地材上に敷設されるフローリング材等の床仕上げ材での床面を、その一方に遮音マット等を介在させたとしても段差などを生じることなく同一の高さレベルに保つことができる床構造を得ることを目的とする。
【０００７】
【課題を解決するための手段】
このような目的に応えるために本発明（請求項１記載の発明）に係る床構造は、隣り合って構築される第１、第２の居住部の床の取り合い構造であって、第１の居住部の床を構成する床下地材およびその上部に敷設される床仕上げ材と、第２の居住部の床を構成する床下地材およびその上部に敷設される床仕上げ材と、この第２の居住部の床を構成する床下地材と床仕上げ材との間に介在して設けられる遮音マットとを備え、第１、第２の居住部における床下地材、床仕上げ材は、それぞれほぼ同一厚さをもって形成されており、これらの床下地材を、階下側の支持部材に支持するにあたって、前記遮音マットの厚さに応じて、第２の居住部側の床下地材を第１の居住部側の床下地材よりも下側に落とし込んだ状態で支持させて設けたことを特徴とする。
【０００８】
本発明（請求項２記載の発明）に係る床構造は、隣り合って構築される第１、第２の居住部の床の取り合い構造であって、第１の居住部の床を構成する床下地材およびその上部に敷設される床仕上げ材と、第２の居住部の床を構成する床下地材およびその上部に敷設される床仕上げ材と、この第２の居住部の床を構成する床下地材と床仕上げ材との間に介在して設けられる遮音マットおよび合板とを備え、第１、第２の居住部における床下地材、床仕上げ材は、それぞれほぼ同一厚さをもって形成されており、これらの床下地材を、階下側の支持部材に支持するにあたって、前記遮音マットおよび合板の厚さに応じて、第２の居住部側の床下地材を第１の居住部側の床下地材よりも下側に落とし込んだ状態で支持させて設けたことを特徴とする。
【０００９】
本発明（請求項３記載の発明）に係る床構造は、隣り合って構築される第１、第２の居住部の床の取り合い構造であって、第１の居住部の床を構成する床下地材およびその上部に敷設される床仕上げ材と、第２の居住部の床を構成する床下地材およびその上部に敷設される床暖フローリングと、この第２の居住部の床を構成する床下地材と床暖フローリングとの間に介在して設けられる遮音マットおよび合板とを備え、第１、第２の居住部における床下地材、床仕上げ材または床暖フローリングは、それぞれほぼ同一厚さをもって形成されており、これらの床下地材を、階下側の支持部材に支持するにあたって、前記遮音マットおよび合板の厚さに応じて、第２の居住部側の床下地材を第１の居住部側の床下地材よりも下側に落とし込んだ状態で支持させて設けたことを特徴とする。
【００１０】
本発明（請求項４記載の発明）に係る床構造は、請求項１、請求項２または請求項３記載の床構造を具体的に限定したものであって、第１、第２の居住部における床下地材は、方形状に枠組みされた芯材とその上面に張られた面材とからなる床パネルによって構成されており、第２の居住部における床パネルは、芯材の一部が切り欠き部によって厚さを薄く形成され、この部分が階下側の支持部材に支持されることにより、第１の居住部側の床パネルに対して落とし込んで配設されていることを特徴とする。
【００１１】
本発明（請求項１ないし請求項４のいずれか１項に記載の発明）によれば、第１の居住部に隣り合って構築される第２の居住部の床に、遮音マット、あるいは遮音マットと床暖フローリングを組み合わせたものを敷設するにあたって、床パネル等の床下地材を、第１の居住部側の床下地材に対して僅かに落とし込んで配設するだけで、上記の遮音マット等の厚さを吸収することができ、これにより第１、第２の居住部での床面を、段差などを生じることがない同一の高さレベルに維持し、バリアフリーが実現できる。
【００１２】
特に、請求項４記載の発明によれば、第２の居住部側の床パネルの一部に切り欠き部を設け、これにより薄く形成された部分を、第１の居住部側の床パネルと共に、階下側の支持部材上に支持させることにより、上記の作用効果が得られるものであり、また該切り欠き部の有無によって床パネルを識別できるから、施工時の作業性の面でも優れている。
【００１３】
【発明の実施の形態】
図１は本発明に係る床構造を、建物の２階以上の居住部に適用した場合の一実施の形態を示す。
同図において、符号１０は建物の２階以上において居住部のうちの２つの居室、ここでは床仕上げ材としてフローリング材１１を敷設した第１の居室１２と、床仕上げ材としてフローリング材１３を敷設した第２の居室１４とを隣り合わせて構築した際の床部の構造である。
【００１４】
この実施形態では、各室１２，１４の床を、床パネル１５，１６を用いて構成している。ここで、これらの床パネル１４，１５は、方形状に枠組みした芯材１７の上面に面材１８を張ることにより形成されている。
これらの床パネル１５，１６は、図中Ｄで示すように、同一厚さをもつ床パネルとして形成されている。
【００１５】
図１において符号２１は建物の階下側の壁部を構成する壁パネルで、前記床パネル１５，１６はその芯材１７，１７（一方は後述するように図中１７ａで示す短い部分）を該壁パネル２１の上端部に載置させることで支持されている。また、図中２２は階上側の壁部を構成する壁パネルであり、床パネル１５，１６上に前記階下側の壁パネル２１に対応した位置に立設した状態で配設されている。なお、これらの壁パネル２１，２２も、上述した床パネル１５，１６と同様に、方形状に枠組みされた芯材とその両面に張り付けられた面材とから形成されている。
【００１６】
前記第１の居室１２において、前記床パネル１５上には、合板１１ａを介して前記フローリング材１１が敷設されている。一方、第２の居室１２において、前記床パネル１６上には、遮音マット２４が敷設され、その上面に前記フローリング材１３が敷設されている。なお、このフローリング材１３は、厚さが前記第１の居室１２側のフローリング材１１と合板１１ａとを合わせた厚さをもつように形成されている場合を示す。また、遮音マット２４は、たとえば９ｍｍの厚さをもつものを用いている。
【００１７】
本発明によれば、上述した構成による床構造において、前記遮音マット２４を敷設する第２の居室１３側の床パネル１６を、該遮音マット２４の厚さを考慮して、段差ｄ分だけ第１の居室１２側の床パネル１５よりも落とし込んだ位置に配設するように構成している。ここで、図中２０は切り欠き部であり、この切り欠き部２０の分だけ厚さが短く形成された芯材１７ａを、階下側の壁パネル２１の上端部に支持させることで、第１の居室１２側の床パネル１５との間に段差を持たせている。
【００１８】
このような構成とすれば、遮音マット２４を床パネル１６上に敷設した際の厚さを吸収することができ、第１、第２の居室１２，１４の床面を同じ高さに維持することができるのである。
ここで、図中２５は芯材１７ａ部分での段差を吸収するための調整材、２６はこの調整材２５の上部であって両居室１２，１４間に跨って設けられる敷居材等の上面材である。これにより、両居室１２，１４の床面は同一高さによって構成され、いわゆるバリアフリーが実現できる。
【００１９】
図２は本発明に係る床構造の別の実施の形態を示すものであり、この実施形態では、フローリング材１３の裏面で遮音マット２８との間に合板２９を介在させた場合を示す。
ここでは、合板２９の厚さをたとえば５．５ｍｍとし、遮音マット２８としては、図１で示したマット２４の約半分以下の厚さである４ｍｍのものを用いている。このような厚さの薄い遮音マット２８は、上記の遮音マット２４に比べて薄い分だけ遮音性能は劣る。しかし、建物全体の仕様によっては実用上何ら支障ないものである。
【００２０】
図３は本発明のさらに別の実施形態を示すものであり、この実施形態では、第２の居室１４の床に床暖フローリング３０を敷設した場合である。すなわち、この床暖フローリング３０を、床パネル１６上に遮音マット２８、合板２９を介して敷設することにより、遮音性能を備え、さらに床暖効果も発揮できる床を提供することができる。遮音マット２８は、床暖フローリング３０とは直接接触させて設けることができないが、合板２９を介在させることで、これらを併用することができる。また、遮音マット２８、合板２９を用いることによる段差は、前述したように床パネル１６を、切り欠き部２０の分だけ落とし込んで構成することで簡単に対処できるのである。
【００２１】
なお、本発明は上述した実施の形態で説明した構造には限定されず、各部の形状、構造等を適宜変形、変更し得ることはいうまでもない。たとえば、パネル工法に限らず、床下地材を組み立てて構成されるものであってもよい。また、床仕上げ材としては、フローリング材１１，１３に限らず、カーペット敷き、シート床材等でも同様に適用して効果を発揮し得るものである。
さらに、上述した実施の形態では、居住部として居間、寝室等の居室を例示したが、本発明はこれに限らず、建物内の空間であって、居室、廊下や玄関ホールを含む居住部であれば、適用して効果が得られることは言うまでもない。
【００２２】
【発明の効果】
以上説明したように本発明に係る床構造によれば、第１の居住部に隣り合って構築される第２の居住部の床に、遮音マット、あるいは遮音マットと床暖フローリングを組み合わせたものを敷設するにあたって、床パネル等の床下地材を、第１の居住部側の床下地材に対して僅かに落とし込んで配設するだけで、上記の遮音マット等の厚さを吸収することができ、これにより第１、第２の居住部での床面を、段差などを生じることがない同一の高さレベルに維持し、バリアフリーを簡単に実現することができる。したがって、居住部間に段差が生じることに起因している前記した種々の問題を全て解消することができる。しかも、このような本発明によれば、構成が簡単で、建物の施工時の作業性の面でも優れ、コスト低減化も図ることができる。
【００２３】
特に、請求項４記載の発明によれば、第２の居住部側の床パネルの一部に切り欠き部を設け、これにより薄く形成された部分を、第１の居住部側の床パネルと共に、階下側の支持部材上に支持させることにより、上記の作用効果が得られるものであり、また該切り欠き部の有無によって床パネルを識別できるから、施工時の作業性の面でも優れている。
【図面の簡単な説明】
【図１】本発明に係る床構造の一実施の形態を示す２つの居室（居住部）の床取り合い部を示す縦断面図である。
【図２】本発明に係る床構造の別の実施の形態を示す縦断面図である。
【図３】本発明に係る床構造のさらに別の実施の形態を示す縦断面図である。
【符号の説明】
１０…床部構造、１１…フローリング材、１２…第１の居室（第１の居住部）、１３…フローリング材、１４…第２の居室（第２の居住部）、１５，１６…床パネル、１７，１７ａ…芯材、１８…面材、２０…切り欠き部、２１，２２…壁パネル、２４，２８…遮音マット、２５…調整材、２６…上面材、２９…合板、３０…床暖フローリング。
【図１】
2004332418.tif 000003
【図２】
2004332418.tif 000004
【図３】
2004332418.tif 000005